(57)【特許請求の範囲】
【請求項１】
上面部に取出し口が形成された箱体と、
スリットを有し、前記取出し口を覆うように前記上面部の内面に設けられたシート材と、
を備え、
前記箱体の内部空間に家庭用薄葉紙を収納し、前記スリットから前記家庭用薄葉紙を引き出し可能な家庭用薄葉紙収納箱において、
前記シート材は、
前記箱体の前記上面部の内面に対向する外側フィルム層と、
前記箱体に収納された前記家庭用薄葉紙に対向する内側フィルム層と、
前記内側フィルム層及び前記外側フィルム層の間に介在して、これらを接着する中間層と、
を備え、
前記内側フィルム層は、前記外側フィルム層よりガスの透過性が高く、複数の細孔が形成されており、
前記中間層は、接着剤又は粘着剤に、香料の封入されたマイクロカプセルが含有されてなり、
前記スリットの周辺部に配される前記マイクロカプセルの壁の厚みが、他の領域に配される前記マイクロカプセルの壁の厚みよりも厚いことを特徴とする家庭用薄葉紙収納箱。
【請求項２】
前記マイクロカプセルは、耐熱性を有することを特徴とする請求項１に記載の家庭用薄葉紙収納箱。
【請求項３】
前記マイクロカプセルは、種類の異なる香料の封入された複数種類のマイクロカプセルを含むことを特徴とする請求項１又は２に記載の家庭用薄葉紙収納箱。
【請求項４】
前記細孔は、前記中間層側から前記家庭用薄葉紙側にいくにつれて径が大きくなるテーパ状であることを特徴とする請求項１〜３の何れか一項に記載の家庭用薄葉紙収納箱。
【発明の詳細な説明】
【技術分野】
【０００１】
本発明は、家庭用薄葉紙収納箱に関する。
【背景技術】
【０００２】
従来、ティシュペーパー等の家庭用薄葉紙を積層させて内部に収容し、上面部に設けられた取出し口から収容された家庭用薄葉紙を順次引き出して使用する家庭用薄葉紙収納箱が知られている。
こうした家庭用薄葉紙収納箱においては、内部に収容した家庭用薄葉紙が香りを発するようにしたものも知られている。
家庭用薄葉紙が香りを発するようにするためには、例えば、家庭用薄葉紙一枚一枚に香料を塗布する手法が知られているが、かかる手法では、香料の総量が多くなり、コストがかかることとなる。
【０００３】
そこで、例えば、特許文献１には、家庭用薄葉紙の取出し時に家庭用薄葉紙と収納箱とが摺れる部分にマイクロカプセルに封入した香料を担持させ、取出し時にマイクロカプセルが壊れて内部の香料を家庭用薄葉紙に付着させるとともに周囲に蒸散させるようにした家庭用薄葉紙収納箱が記載されている。
【先行技術文献】
【特許文献】
【０００４】
【特許文献１】特開２００７−１８２２４８号公報
【発明の概要】
【発明が解決しようとする課題】
【０００５】
しかしながら、特許文献１の家庭用薄葉紙収納箱は、家庭用薄葉紙と収納箱とが摺れる位置が使用開始から使用終了までさほど変化しないため、収納箱開封後の初期に香りが強く、使用するにつれて香りが弱くなり、継続的に安定した香りの強さを発現させることが難しいものであった。
【０００６】
本発明の目的は、安価でありながら、使用開始から使用終了まで香りが劣化することなく、継続的に安定した香りの強さを発現させることのできる家庭用薄葉紙収納箱を提供することである。
【課題を解決するための手段】
【０００７】
以上の課題を解決するため、
請求項１に記載の発明は、
上面部に取出し口が形成された箱体と、
スリットを有し、前記取出し口を覆うように前記上面部の内面に設けられたシート材と、
を備え、
前記箱体の内部空間に家庭用薄葉紙を収納し、前記スリットから前記家庭用薄葉紙を引き出し可能な家庭用薄葉紙収納箱において、
前記シート材は、
前記箱体の前記上面部の内面に対向する外側フィルム層と、
前記箱体に収納された前記家庭用薄葉紙に対向する内側フィルム層と、
前記内側フィルム層及び前記外側フィルム層の間に介在して、これらを接着する中間層と、
を備え、
前記内側フィルム層は、前記外側フィルム層よりガスの透過性が高く、複数の細孔が形成されており、
前記中間層は、接着剤又は粘着剤に、香料の封入されたマイクロカプセルが含有されてなり、
前記スリットの周辺部に配される前記マイクロカプセルの壁の厚みが、他の領域に配される前記マイクロカプセルの壁の厚みよりも厚いことを特徴とする。
【０００８】
また、請求項２に記載の発明は、請求項１に記載の家庭用薄葉紙収納箱において、
前記マイクロカプセルは、耐熱性を有することを特徴とする。
【０００９】
また、請求項３に記載の発明は、請求項１又は２に記載の家庭用薄葉紙収納箱において、
前記マイクロカプセルは、種類の異なる香料の封入された複数種類のマイクロカプセルを含むことを特徴とする。
【００１１】
また、請求項４に記載の発明は、請求項１〜３の何れか一項に記載の家庭用薄葉紙収納箱において、
前記細孔は、前記中間層側から前記家庭用薄葉紙側にいくにつれて径が大きくなるテーパ状であることを特徴とする。
【発明の効果】
【００１２】
本発明によれば、安価でありながら、使用開始から使用終了まで香りが劣化することなく、継続的に安定した香りの強さを発現させることのできる家庭用薄葉紙収納箱を提供することができる。
【図面の簡単な説明】
【００１３】
【図１】本発明の一実施形態に係る家庭用薄葉紙収納箱の斜視図である。
【図２】図１の家庭用薄葉紙収納箱に取出し口を形成した状態を示す斜視図である。
【図３】図１の家庭用薄葉紙収納箱の取出し口から家庭用薄葉紙を引き出した状態を示す斜視図である。
【図４】図３のIV-IV線における断面図である。
【図５】図１の家庭用薄葉紙収納箱に備えられたシート材を示す拡大断面図である。
【図６】シート材の変形例を示す拡大断面図である。
【発明を実施するための形態】
【００１４】
以下、図を参照して、本発明の実施の形態を詳細に説明する。ただし、発明の範囲は、図示例に限定されない。
なお、本実施形態では、家庭用薄葉紙収納箱として、家庭用薄葉紙としてのティシュペーパーを収納するティシュカートンを例示して説明を行う。
【００１５】
先ず、ティシュカートン１の構成について説明する。
図１に示すように、ティシュカートン１は、上面部１１にミシン目線１１ａの設けられた箱体１０を備えている。
【００１６】
箱体１０は、上面部１１、底面部１２、一対の側面部１３，１３、及び一対の妻面部１４，１４を備え、上面部１１と底面部１２、一対の側面部１３，１３、及び一対の妻面部１４，１４が、それぞれ対向するように平行に配置され、ティシュペーパーｔの束を収納し得る内部空間を形成している。
箱体１０としては、ティシュペーパーｔの束を収納し得る内部空間が形成される形状のものであれば、例えば、直方体状、立方体状等の六面体状のものの他にも、如何なる形状であっても良い。例えば、六面体の二つの面の稜線部分を面取りしたもの等も「箱体」に含まれるものとする。なお、図１は、ティシュカートン１を直方体状に構成した例である。
【００１７】
箱体１０の大きさ、形状、展開形状等は、既知のティシュペーパー用の収納箱の構成が採用され得るが、例えば、長手縁部が１１０〜３２０ｍｍ、短手縁部が７０〜２００ｍｍ、高さ４０〜１５０ｍｍ程度の大きさの収納箱とすることができる。
また、箱体１０の素材は、例えば、バージンパルプ、古紙パルプ等の各種のパルプを主原料とする既知の紙素材が採用され得るが、例えば、坪量２５０〜５００ｇ／ｍ２のコートボール紙等を用いることができる。
【００１８】
箱体１０の内部空間には、ティシュペーパーｔの束が収納されている。
なお、一枚のティシュペーパーｔは、例えば、２枚〜３枚の薄葉紙が積層されたプライ構造を有し、ポップアップ式に重畳されてティシュペーパーｔの束を形成している。
【００１９】
箱体１０の上面部１１には、取出し口２０を形成するためのミシン目線１１ａが設けられている。
ミシン目線１１ａは、環状を成し、適宜設定されたカットタイ比にて形成される。なお、ミシン目線１１ａとしては、通常のミシン目線の他、二重ミシン目線、ジッパーミシン目線等をすることができる。また、一部分のみ二重ミシン目線としても良い。
ミシン目線１１ａは、箱体１０の長手方向に延在する長辺と、長辺の端同士を繋ぐ短辺とを有し、ミシン目線１１ａに囲まれる切り取り領域１１ｂの形状は、箱体１０の長手方向に沿う方向に長尺な適宜設定された形状である。例えば、箱体１０の長手方向に沿って長尺な矩形や、その矩形の長辺の中央部を外方に向かって緩やかに突出するアーチ状とした形状等とすることができる。
図２に示すように、箱体１０の上面部１１から切り取り領域１１ｂを切り離すことにより、箱体１０の上面部１１に取出し口２０が形成される。そして、図３に示すように、この取出し口２０から、ティシュペーパーｔを一枚ずつ外部へ取り出すことができるようになっている。
【００２０】
また、図４に示すように、箱体１０の上面部１１には、取出し口２０を覆うように内側からシート材３０が備えられている。
シート材３０は、箱体１０の上面部１１の切り取り領域１１ｂより大きな、例えば、矩形、楕円形等の形状に形成され、箱体１０の上面部１１の内側において、ミシン目線１１ａの切り離しによる影響がでないように、当該ミシン目線１１ａの外側で図示しない接着剤によって貼着されている。
【００２１】
シート材３０には、取出し口２０の長手方向に沿って延在するスリット３０ａが形成されている。箱体１０の上面部１１から切り取り領域１１ｂを切り離して取出し口２０が形成された際には、シート材３０のスリット３０ａが露出し、箱体１０の内部に収納されたティシュペーパーｔは、スリット３０ａを介して取出し口２０から引き出すことができる。スリット３０ａは、当該スリット３０ａを介して外部に引き出されたティシュペーパーｔの一部を支持し、当該ティシュペーパーｔが箱体１０の内部に落ち込むのを防止する。
【００２２】
ここで、本実施形態におけるシート材３０について詳細に説明する。
図５に示すように、シート材３０は、外側フィルム層３１、内側フィルム層３２、及びこれらの間に介在する中間層３３を備え、外側フィルム層３１と内側フィルム層３２は、中間層３３により接着されて一体化された構成である。
なお、シート材３０は、外側フィルム層３１が箱体１０の上面部１１の内側に対向し、内側フィルム層３２が箱体１０の内部のティシュペーパーに対向するように配されている。
【００２３】
シート材３０は、内側フィルム層３２のガスの透過度が、外側フィルム層３１のガスの透過度よりも高くなるよう構成されている。
具体的には、外側フィルム層３１としては、ガスバリア性が高いものが用いられ、内側フィルム層３２としては、適度なガスの透過性を有するものを用いられることが好ましい。
これにより、外側フィルム層３１からは外部への香料の放出がなされることなく、中間層３３に含まれる香料（マイクロカプセル３３ａに封入された香料）が、内側フィルム層３２を透過して箱体１０の内部に放出されるようになっている。
なお、外側フィルム層３１及び内側フィルム層３２は、単層構造に限られるものではなく、積層構造であっても良い。
【００２４】
より具体的に、外側フィルム層３１としては、例えば、ポリエチレンテレフタレート、ポリ塩化ビニリデン等が好適であり、内側フィルム層３２としては、例えば、ポリエチレン、ポリスチレン、ポリプロピレン、ポリカーボネート等が好適である。
特に、外側フィルム層３１と内側フィルム層３２との好適な組み合わせとしては、外側フィルム層３１がポリエチレンテレフタレートで、内側フィルム層３２がポリエチレンの組み合わせである。かかる組み合わせであれば、ポリエチレンが適度なガスの透過性を有し、ポリエチレンテレフタレートが十分なガスバリア性を有し、且つ各層のガスの透過性の差が大きいため、確実に内側フィルム層３２から香料を放出させることができる。また、ポリエチレン、ポリエチレンテレフタレート共に安価であり、ティシュカートン１のシート材３０として必要とされるティシュペーパーｔの支持性、引き出し性を十分に確保することができる。
【００２５】
また、外側フィルム層３１の厚みは、５〜１５μｍとすることが好ましい。外側フィルム層３１の厚みを５μｍ以上とすることで、十分な強度を確保することができ、１５μｍ以下とすることで、柔軟性を損なうことなく良好な取出し性を得ることができる。
また、内側フィルム層３２の厚みは、１０〜１００μｍとすることが好ましく、ティシュペーパー製品の一般的な保管期間を考慮すると１５〜４０μｍがより好ましい。
【００２６】
中間層３３は、粘着剤又は接着剤に、香料が封入されたマイクロカプセル３３ａを配合したものである。
【００２７】
中間層３３に用いられる粘着剤の種類は、フィルム同士を接着するものであれば、特に限定されないが、例えば、天然ゴム系粘着剤、天然ゴムラテックス系粘着剤、アクリル系粘着剤、ホットメルト粘着剤等を用いることができる。特に、樹脂性フィルムシートの接着性に優れ、マイクロカプセルの分散性に優れることから、アクリル系粘着剤が好ましい。
また、接着剤としては、ポリエステル系接着剤がフィルムとの親和性に優れ、接着が確実なものとなるため好ましい。
【００２８】
なお、中間層３３の厚みは、５〜８０μｍであることが好ましく、１５〜３５μｍであることがより好ましい。５μｍ以上とすることで、外側フィルム層３１及び内側フィルム層３２が部分剥離する恐れが低減され、確実に接着することができる。また、８０μｍ以下とすることで、シート材３０の柔軟性を損なうことなく、中間層３３（粘着剤又は接着剤と、マイクロカプセル３３ａ）の使用量が増えすぎてコスト高となるのを防止することができる。これらの効果は、中間層３３の厚みを１５〜３５μｍとすることで、より顕著になる。
【００２９】
中間層３３におけるマイクロカプセル３３ａの配合率は、マイクロカプセル３３ａに封入された香料の種類や揮発性等により定められるが、継続的にほのかに香りを発し、しかもコスト高とならないようにするという観点から、０．５〜１５ｇ／ｍ２が好ましく、１〜６ｇ／ｍ２がより好ましい。
【００３０】
マイクロカプセル３３ａに封入される香料は、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を上げることができる。市販品を使用することもできる。
【００３１】
マイクロカプセル３３ａとしては、例えば、ゼラチン樹脂、尿素樹脂、メラミン樹脂などの天然高分子や、ウレタン樹脂、ポリウレア樹脂などの合成高分子からなるものなどを使用することができるが、特に、耐熱性に優れたメラミン樹脂を使用することが好ましい。
【００３２】
本実施形態において使用されるマイクロカプセル３３ａは、外側フィルム層３１と内側フィルム層３２を貼り合わせ工程において破壊され難い性質を有するものである。
【００３３】
具体的に、例えば、マイクロカプセル３３ａは、耐熱性を有することが好ましい。耐熱性を有するマイクロカプセルとしては、例えば特開２００４−３３７８３９号公報に開示されているように、マイクロカプセルの壁を内壁膜と外壁膜を有する複合壁にしたり、例えば特開平６−３３９６２４号公報に開示されているように、マイクロカプセル表面に耐熱性粒子とシリコーンオイルからなる耐熱層を被覆したものなどが用いられる。
耐熱性を有するマイクロカプセル３３ａとすることで、外側フィルム層３１と内側フィルム層３２を貼り合わせ工程において熱が加わった際にもマイクロカプセル３３ａを破壊され難くすることができ、よって、香料の熱劣化を抑えることができる。
なお、マイクロカプセル３３ａとしては、外側フィルム層３１と内側フィルム層３２の貼り合わせ工程において破壊され難くすることができるものであれば、これに限定されない。
【００３４】
また、マイクロカプセル３３ａは、中間層３３を、外側フィルム層３１及び／又は内側フィルム層３２に塗布する際の負荷による破壊やクラックにより香りが抜けるのを防止するため、平均粒径１〜２５μｍ程度とすることが好ましい。
【００３５】
また、マイクロカプセル３３ａは、種類の異なる香料の封入された複数種類のマイクロカプセルを含むことも可能である。２種類以上の香料を用いることで、複数の香料が混ざった香りなど、香りのバリエーションを作ることができる。
更に、このとき、香料の種類によってマイクロカプセル３３ａの壁の厚みを異ならせることとしても良い。２種類以上の香料を用い、それぞれの香料ごとにマイクロカプセル３３ａの壁の厚みを異ならせることで、各マイクロカプセル３３ａを壊すための衝撃や、各マイクロカプセル３３ａが劣化により壊れるまでの期間を変えることができ、香りの変化を楽しむことができることとなる。
【００３６】
また、ティシュペーパーｔを取り出す際、スリット３０ａによりティシュペーパーｔが擦れるため、スリット３０ａ周辺部に衝撃がかかりやすいことを考慮して、スリット３０ａ周辺部のマイクロカプセル３３ａを、それ以外の領域のものより壁の厚みを厚くすることとしても良い。このようにすることで、スリット３０ａ周辺部のマイクロカプセル３３ａの耐久性が上がり、香りの持続性を高めることができる。
【００３７】
次に、ティシュカートン１の作用について説明する。
上記した構成のティシュカートン１では、外側フィルム層３１は香りを遮断するため、ティシュカートン１の箱体１０の外部には香りが放出されないが、箱体１０の内部においては、マイクロカプセルが経時劣化や衝撃等により破壊され、内側フィルム層３２から徐々に香りが放出されるため、箱体１０に収納されるティシュペーパーｔに徐々に香りが付与されることとなる。
このとき、箱体１０の内部においては大きな空気の出入りがないため、香りの持続性を向上させることができる。
また、ティシュペーパーｔ一枚一枚に香料を付与した場合と比較し、コストを低く抑えることができる。
また、香りを強く付与したい場合には、使用者がシート材３０を擦ることでマイクロカプセル３３ａを破壊し、香料を放出させればよいため、使用者の好みに香りの強さを調節することができる。
例えば、切り取り領域１１ｂを切り離した後、シート材３０を上部から押下して衝撃を加え、マイクロカプセル３３ａを破壊してもよいし、スリット３０ａから手指を入れて、シート材３０を手指にて挟持して衝撃を加え、マイクロカプセル３３ａを破壊してもよい。
【００３８】
また、上記した構成のティシュカートン１では、マイクロカプセル３３ａに香料を封入した構成であるため、シート材３０の製造工程において熱による香料が劣化するのを抑制することができる。具体的には、外側フィルム層３１と内側フィルム層３２とを貼り合わせる工程において、香料はマイクロカプセル３３ａ内に閉じ込められているため、熱により、香料のトップノート（沸点が低い物質を中心とした、一番最初に華やかに香る香り）が飛んでしまい、ボトムノート（沸点が高い物質を中心とした、残香性が高く、重たい香り）のみが残ることとなるのを抑制することができる。従って、軽く、フレッシュな香りを保持させることができる。
【００３９】
また、マイクロカプセルが壊れてから香りが放出される構成であるので、中間層３３の粘着剤又は接着剤に香料を直接混ぜ込む場合と比較して、香りが中間層３３から放出される程度が少なく、香りの持続性が高く、また、使用する香料の量を少なく抑えることができる。
【００４０】
以上のように、本実施形態によれば、上面部１１に取出し口２０が形成された箱体１０と、スリット３０ａを有し、取出し口２０を覆うように上面部１１の内面に設けられたシート材３０と、を備え、箱体１０の内部空間にティシュペーパーを収納し、スリット３０ａからティシュペーパーを引き出し可能なティシュカートン１において、シート材３０は、箱体１０の上面部１１の内面に対向する外側フィルム層３１と、箱体１０に収納されたティシュペーパーに対向する内側フィルム層３２と、外側フィルム層３１及び内側フィルム層３２の間に介在して、これらを接着する中間層３３と、を備え、内側フィルム層３２は、外側フィルム層３１よりガスの透過性が高く、中間層３３は、接着剤又は粘着剤に、香料の封入されたマイクロカプセル３３ａが含有されてなる。
このため、香料の使用量を少なく抑えられるため安価でありながら、内側フィルム層３２から徐々に香料が放出されるため使用開始から使用終了まで香りが劣化することなく、継続的に安定した香りの強さを発現させることのできるティシュカートン１を提供することができる。
【００４１】
また、本実施形態によれば、マイクロカプセル３３ａは、耐熱性を有する。
このため、外側フィルム層３１と内側フィルム層３２の貼り合わせる際に、マイクロカプセル３３ａが破壊されるのを抑制することができる。
【００４２】
また、本実施形態によれば、マイクロカプセル３３ａは、種類の異なる香料の封入された複数種類のマイクロカプセル３３ａを含む。
このため、香りのバリエーションを楽しむことができる。
【００４３】
なお、外側フィルム層３１と内側フィルム層３２の貼り合わせ後、シート材３０の内部において、マイクロカプセル３３ａが潰れにくいことを考慮して、図６に示すように、内側フィルム層３２に細孔３２ａを設ける構成とすることも好ましい。
細孔３２ａは、例えば、中間層３３側からティシュペーパー側にいくにつれて径が大きくなるテーパ状等に形成される。かかる形状であれば、箱体１０内部に、より香りを拡散しやすくすることができる。このとき、細孔３２ａの内側フィルム層３２の表面側の直径は、５〜２０μｍ程度の大きさに設定される。
細孔３２ａの形成方法は、どのような手法を用いても良いが、例えば、外側フィルム層３１と内側フィルム層３２を貼り合わせてシート材３０を形成した直後に、滑らかな表面を有するロールと、突起を有するロールとの間に、内側フィルム層３２側が突起を有するロールに対向するように設置したシート材３０を通過させることで、形成することができる。かかる手法であれば、外側フィルム層３１と内側フィルム層３２を貼り合わせる工程の直後に、２つのロールを設置すればよく、複雑な製造設備を必要としないため好ましい。
【００４４】
このように構成することで、シート材３０の内部で壊れにくいマイクロカプセル３３ａが、細孔３２ａの形成時に破壊されたりクラックが入ることで、香料を放出しやすくすることができる。
【００４５】
なお、細孔３２ａの形状は、上記したテーパ状に限定されない。また、細孔３２ａは、内側フィルム層３２の全面に亘って形成されていても良いし、内側フィルム層３２の一部にのみ形成されていても良い。
【符号の説明】
【００４６】
１  ティシュカートン
１０  箱体
１１  上面部
１１ａ  ミシン目線
１１ｂ  切り取り領域
１２  底面部
１３  側面部
１４  妻面部
２０  取出し口
３０  シート材
３０ａ  スリット
３１  外側フィルム層
３２  内側フィルム層
３３  中間層
３３ａ  マイクロカプセル
ｔ  ティシュペーパー
【図１】
0005856118.tif 000002
【図２】
0005856118.tif 000003
【図３】
0005856118.tif 000004
【図４】
0005856118.tif 000005
【図５】
0005856118.tif 000006
【図６】
0005856118.tif 000007